(57)【要約】【課題】装置を小型化できるコンパクトな構成の通路を有する燃料供給装置を提供する。【解決手段】燃料供給装置１は、燃料ポンプ４を保持してベース部材５に結合されるホルダ部６を備える。燃料ポンプ４が発生するベーパの排出用の排出通路３８と、燃料ポンプ４の燃料吸入用の吸入通路３９と、燃料ポンプ４が吐出する燃料の外部供給用の吐出通路４０は、いずれもその延在方向に垂直な方向に二分され、その一方の側の通路部分がベース部材５のベース側接合面１４に形成され、他方の側の通路部分がホルダ部６のホルダ側接合面１５に形成される。排出通路３８、吸入通路３９及び吐出通路４０は、その延在方向に垂直な方向に隣接している。【選択図】図２
2015197050.tif 000002
【特許請求の範囲】
【請求項１】
ベーパ排出用の排出孔、燃料吸入用の吸入孔、及び燃料吐出用の吐出孔を有する燃料ポンプと、
前記燃料ポンプが吐出する燃料を外部に供給するための燃料ジョイントを有するベース部材と、
前記燃料ポンプを保持して前記ベース部材に結合されるホルダ部とを備え、
前記ホルダ部は、その前記燃料ジョイント側に設けられて前記燃料ポンプを保持するポンプ保持部と、該燃料ジョイントと反対側に設けられて燃料フィルタを取り付けるためのフィルタ取付け部とを備え、
前記ベース部材及び前記ホルダ部は、相互の結合により接合されるベース側接合面及びホルダ側接合面をそれぞれ備え、
前記ベース側接合面及びホルダ側接合面には、前記排出孔からのベーパを送るための排出通路、前記燃料フィルタからの燃料を前記吸入孔に送るための吸入通路、及び前記吐出孔から吐出される燃料を前記燃料ジョイントに送るための吐出通路が設けられ、
前記排出通路、前記吸入通路及び前記吐出通路は、いずれもその延在方向に垂直な方向に二分され、その一方の側の通路部分が前記ベース側接合面に形成され、他方の側の通路部分が前記ホルダ側接合面に形成され、
前記排出通路、前記吸入通路及び前記吐出通路は、その延在方向に垂直な方向に隣接していることを特徴とする燃料供給装置。
【発明の詳細な説明】
【技術分野】
【０００１】
本発明は、燃料ポンプにより燃料を供給する燃料供給装置に関する。
【背景技術】
【０００２】
従来、このような燃料供給装置として、ベーパ排出用の排出孔、燃料吐出用の吐出孔等を有する燃料ポンプと、燃料タンクに固定されるベース部材と、燃料ポンプを保持してベース部材に結合されるホルダ部とを備えたものが知られている（例えば、特許文献１参照）。
【０００３】
特許文献１の燃料供給装置では、ベーパ排出用の排出孔から排出されるベーパは、ベーパ排出通路を経て排出される。ベーパ排出通路は、鉛直下方向に向かって延びた第１通路部と、該第１通路部の下端部に接続されて水平方向に延在する第２通路部と、該第２通路部の端部に略直交するように接続されて上方に延びた第３通路部とからなる。
【０００４】
このような直線状の第１〜第３通路は、鋳抜きピンを用い、鋳抜き孔として形成される。また、従来、燃料ポンプの吐出孔から吐出される燃料を外部に供給するための通路や、燃料ポンプの吸入孔に燃料を送るための通路も、鋳抜き孔として形成される。
【先行技術文献】
【特許文献】
【０００５】
【特許文献１】特開２０１３−１１７１９８号公報
【発明の概要】
【発明が解決しようとする課題】
【０００６】
しかしながら、上記のように、ベーパ排出路等を鋳抜きピンを用いて形成すると、上述のベーパ排出通路のように、直線状の通路を接続した通路しか形成することができない。そして、直線状の通路でベーパ排出路等を構成する場合、燃料ポンプの排出孔や吐出孔の配置が制約を受ける。これにより、関係する各部品の形状や配置も多くの制約を受ける。これに伴い、燃料供給装置も大型化することになる。
【０００７】
本発明の目的は、かかる従来技術の課題に鑑み、装置を小型化できるコンパクトな構成の通路を有する燃料供給装置を提供することにある。
【課題を解決するための手段】
【０００８】
本発明の燃料供給装置は、ベーパ排出用の排出孔、燃料吸入用の吸入孔、及び燃料吐出用の吐出孔を有する燃料ポンプと、前記燃料ポンプが吐出する燃料を外部に供給するための燃料ジョイントを有するベース部材と、前記燃料ポンプを保持して前記ベース部材に結合されるホルダ部とを備え、前記ホルダ部は、その前記燃料ジョイント側に設けられて前記燃料ポンプを保持するポンプ保持部と、該燃料ジョイントと反対側に設けられて燃料フィルタを取り付けるためのフィルタ取付け部とを備え、前記ベース部材及び前記ホルダ部は、相互の結合により接合されるベース側接合面及びホルダ側接合面をそれぞれ備え、前記ベース側接合面及びホルダ側接合面には、前記排出孔からのベーパを送るための排出通路、前記燃料フィルタからの燃料を前記吸入孔に送るための吸入通路、及び前記吐出孔から吐出される燃料を前記燃料ジョイントに送るための吐出通路が設けられ、前記排出通路、前記吸入通路及び前記吐出通路は、いずれもその延在方向に垂直な方向に二分され、その一方の側の通路部分が前記ベース側接合面に形成され、他方の側の通路部分が前記ホルダ側接合面に形成され、前記排出通路、前記吸入通路及び前記吐出通路は、その延在方向に垂直な方向に隣接していることを特徴とする。
【０００９】
本発明によれば、排出通路、吸入通路及び吐出通路が、ベース側接合面とホルダ側接合面との間に形成され、かつ順次隣接しているので、排出通路、吸入通路及び吐出通路は、ベース側接合面及びホルダ側接合面に沿った一定の狭い範囲内に位置する。したがって、燃料供給装置を小型化することができる。
【００１０】
また、排出通路、吸入通路及び吐出通路は、ベース側接合面及びホルダ側接合面の範囲内において、湾曲した形状等の自在な形状に形成することができるので、これらの通路に接続する部品を高い自由度で配置することができる。
【図面の簡単な説明】
【００１１】
【図１】本発明の一実施形態に係る燃料供給装置の断面図である。
【図２】図１の燃料供給装置におけるホルダ側接合面及びベース側接合面の形態を良好に示す斜視図である。
【図３】図１の燃料供給装置のキャップ部を示す斜視図である。
【発明を実施するための形態】
【００１２】
以下、図面を用いて本発明の実施形態を説明する。図１に示すように、実施形態の燃料供給装置１は、燃料タンク２の底面に設けられた開口部３に取り付けられ、燃料タンク２内の燃料を外部に供給するものである。燃料供給装置１は、燃料タンク２内の燃料を吸引して吐出する燃料ポンプ４と、燃料タンク２の開口部３に固定されるベース部材５と、燃料ポンプ４を保持してベース部材５に結合されるホルダ部６とを備える。
【００１３】
燃料ポンプ４は、その長さ方向の一端側（上端側）が燃料タンク２内に配置されるように、ホルダ部６によって保持される。燃料ポンプ４は、該一端側に燃料吐出用の吐出孔９を備え、他端側に、ベーパ排出用の排出孔７及び燃料吸入用の吸入孔８を備える。ベース部材５は、燃料ポンプ４が吐出する燃料を外部に供給するための燃料ジョイント１０を備える。
【００１４】
ホルダ部６は、その燃料ジョイント１０側に設けられて燃料ポンプ４を保持するポンプ保持部１１と、燃料ジョイント１０と反対側に設けられて燃料フィルタ１２を取り付けるためのフィルタ取付け部１３とを備える。燃料タンク２内の燃料は、燃料フィルタ１２により濾過され、フィルタ取付け部１３を経て燃料ポンプ４に供給される。
【００１５】
図２に示すように、ベース部材５及びホルダ部６は、これら相互の結合により接合されるベース側接合面１４及びホルダ側接合面１５をそれぞれ備える。ただし、図２では、ベース部材５とホルダ部６とを分離した状態が示されている。
【００１６】
ホルダ側接合面１５には、燃料ポンプ４の排出孔７に通じた排出用第１開口部１６、排出用第１開口部１６からのベーパを転送するための排出用第２開口部１７、燃料フィルタ１２に通じたフィルタ側開口部１８、吸入孔８に通じた吸入用開口部１９、及び吐出孔９に通じた吐出用開口部２０が設けられる。
【００１７】
ホルダ部６には、排出用第２開口部１７において開口する通路が形成されたベーパ排出管２１、及び吐出用開口部２０に開口する通路が形成された燃料管２２が、燃料ポンプ４の側面に沿って上方に延びるように設けられる。ホルダ部６のポンプ保持部１１には、燃料ポンプ４の側面に沿って上方に延びた円筒状の保持部材２３が設けられる。
【００１８】
保持部材２３の上端部における周方向に離れた３箇所には、燃料ポンプ４をポンプ保持部１１上にスナップフィット式で固定するためのフック部２４が設けられる。この固定を行うために、燃料ポンプ４の上部には、図３に示されるキャップ部２５が配置される。キャップ部２５には、フック部２４に対応する孔部２６が設けられる。
【００１９】
ポンプ保持部１１上への燃料タンク２の固定は、ポンプ保持部１１上に燃料タンク２を配置し、さらに燃料タンク２の上端部にキャップ部２５を配置してフック部２４及び孔部２６を係合させることにより行われる。
【００２０】
図３に示すように、キャップ部２５の上部には、燃料ポンプ４の長さ方向に垂直な底面２７と、底面２７の周囲を囲う周壁２８を有する蓋部２９とで流通空間３０が構成される。なお、図３では、底面２７から蓋部２９を分離した状態が示されている。底面２７の周囲には、周壁２８と嵌合する嵌合壁３１が設けられる。嵌合壁３１に周壁２８を嵌合させ、蓋部２９を底面２７に固定することにより、流通空間３０が構成される。
【００２１】
底面２７には、燃料タンク２の吐出孔９が嵌合する開口孔３２と、燃料管２２の上端部が接続される接続管３３により構成される接続通路３４と、余剰燃料を燃料タンク２に戻すためのリターン通路３５とが開口する。また、キャップ部２５の流通空間３０に隣接する部分には、上述のベーパ排出管２１の上端部が嵌合する嵌合孔３６が設けられる。
【００２２】
嵌合孔３６の上端部は、蓋部２９に付随する閉塞孔３７により構成される。すなわち、閉塞孔３７を構成する部材は、蓋部２９が底面２７に固定される際に、底面２７側の部材と一体化され、嵌合孔３６の閉塞された上端部を形成する。
【００２３】
図２に戻り、ベース部材５とホルダ部６により、排出用第１開口部１６と排出用第２開口部１７とを接続する排出通路３８、フィルタ側開口部１８と吸入用開口部１９とを接続する吸入通路３９、及び吐出用開口部２０と燃料ジョイント１０とを接続する吐出通路４０とが形成される。
【００２４】
排出通路３８、吸入通路３９及び吐出通路４０は、いずれもその延在方向に垂直な方向に二分され、その一方の側の通路部分がベース部材５のベース側接合面１４に形成され、他方の側の通路部分がホルダ部６のホルダ側接合面１５に形成される。また、排出通路３８、吸入通路３９及び吐出通路４０は、その延在方向に垂直な方向に隣接している。
【００２５】
すなわち、排出通路３８及び吐出通路４０の燃料ジョイント１０と反対側の部分は、吸入通路３９を挟んで吸入通路３９に隣接している。また、吐出通路４０の燃料ジョイント１０側は、燃料ジョイント１０側に曲がって燃料ジョイント１０の基端部に接続している。
【００２６】
これにより、排出通路３８、吸入通路３９及び吐出通路４０は、フィルタ取付け部１３から燃料ジョイント１０までの間のベース側接合面１４及びホルダ側接合面１５に沿った一定の狭い範囲内に纏まって存在する。
【００２７】
図１に戻り、ホルダ部６のフィルタ取付け部１３は、筒状の部材で構成される。フィルタ取付け部１３には、フィルタ側開口部１８を下端として上方に延び、上方に向けて開口したフィルタ接続通路４１が設けられる。燃料フィルタ１２には、フィルタ取付け部１３に対応した接続孔４２が設けられる。
【００２８】
図１では、フィルタ１２がフィルタ取付け部１３から分離している状態が示されている。この状態において、フィルタ取付け部１３を接続孔４２に嵌合させることにより、燃料フィルタ１２がフィルタ取付け部１３に取り付けられ、フィルタ接続通路４１に接続される。
【００２９】
また、ベース部材５の燃料ジョイント１０と反対側の端部には、燃料ポンプ４の駆動制御を行うために燃料ポンプ４と電気的接続を確立するためのコネクタ４３が設けられる。
【００３０】
この構成において、燃料供給装置１の使用時には、燃料タンク２内の燃料が燃料フィルタ１２により濾過されて、フィルタ接続通路４１及び吸入通路３９を経て、吸入孔８から燃料ポンプ４に吸入される。吸入された燃料は、燃料ポンプ４により、その吐出孔９から吐出され、キャップ部２５の流通空間３０内に流入する。
【００３１】
流通空間３０内に流入した燃料は、接続通路３４及び燃料管２２の通路を経て、吐出通路４０に達する。なお、流通空間３０内に流入した燃料の一部は、余剰燃料として、リターン通路３５を経て、燃料タンク２に戻される。吐出通路４０に達した燃料は、燃料ジョイント１０から、それに接続された管路を経て、外部に供給される。
【００３２】
なお、この間、燃料ポンプ４で発生したベーパは、燃料ポンプ４の排出孔７から、排出通路３８、ベーパ排出管２１を経て、燃料タンク２に戻される。
【００３３】
本実施形態によれば、排出通路３８、吸入通路３９及び吐出通路４０が、ベース側接合面１４とホルダ側接合面１５との間に形成され、かつその幅方向に隣接しているので、排出通路３８、吸入通路３９及び吐出通路４０を所定の狭い範囲内に配置することができる。したがって、燃料供給装置１を小型化することができる。
【００３４】
また、排出通路３８、吸入通路３９及び吐出通路４０は、いずれもその延在方向に沿って二分し得る一方の側がベース側接合面１４に形成され、他方の側がホルダ側接合面１５に形成される。このため、鋳抜きピンを用いる必要がないので、成形用の金型を容易に構成するとともに、任意の形状又は通路構成で排出通路３８、吸入通路３９及び吐出通路４０を形成することができる。
【００３５】
このため、排出通路３８、吸入通路３９及び吐出通路４０に接続する部品を高い自由度で配置することができる。したがって、燃料供給装置１を小型化することができる。
【００３６】
以上、本発明の実施形態を説明したが、本発明はこれに限定されない。例えば、本発明は、燃料タンクの上部に取り付けるタイプの燃料供給装置に適用してもよい。また、本発明は、燃料ポンプが燃料タンクとは別の箇所に取り付けられるインラインタイプの燃料供給装置に適用してもよい。
【符号の説明】
【００３７】
１…燃料供給装置、４…燃料ポンプ、５…ベース部材、６…ホルダ部、７…排出孔、８…吸入孔、９…吐出孔、１０…燃料ジョイント、１１…ポンプ保持部、１２…燃料フィルタ、１３…フィルタ取付け部、１４…ベース側接合面、１５…ホルダ側接合面、１６…排出用第１開口部、１７…排出用第２開口部、１８…フィルタ側開口部、１９…吸入用開口部、２０…吐出用開口部、３８…排出通路、３９…吸入通路、４０…吐出通路。
【図１】
2015197050.tif 000003
【図２】
2015197050.tif 000004
【図３】
2015197050.tif 000005